(57)【要約】      （修正有）【課題】携帯用機器の分割ケースを相互に接合して構成された本体ケースの接合部分等にパッキン等のシール部材を用いることなく防水することが可能な防水構造を提供する。【解決手段】外部操作力を必要とする操作部品をこの操作部品の操作部がケース内に収まるように取付けるとともに、この操作部品に分離可能に結合され、外周部に突出する鍔を備えた補助操作部材６を設け、本体ケースの分割接合部に両分割ケースにまたがって前記補助操作部材６を貫通させるための貫通孔１２−６を形成し、その内周面に前記補助操作部材６の鍔が摺動可能に嵌合される溝を設け、この溝に前記補助操作部材６の鍔を挿入し、さらに前記両分割ケースの接合部の前記貫通孔１２−６部分以外の部分に相互に嵌合されるように一方の分割ケースには嵌合溝を他方の分割ケースには嵌合凸条１２−４を設け、両分割ケースを相互に凹凸嵌合させて接合する。【選択図】図２
2007207793.tif 000002
【特許請求の範囲】
【請求項１】
２つに分割構成された分割ケースを相互に接合して閉鎖された１つの本体ケースを形成し、この本体ケース内に電子機器を収納して構成された携帯用機器において、前記電子機器に外部操作の必要な操作部品をこの操作部品の操作部が前記ケース内に収まるように取付けるとともにこの操作部品に分離可能に結合され、外周にここから突出した平板状の鍔を備えた補助操作部材を設け、前記本体ケースの分割接合部に両分割ケースにまたがって前記補助操作部材が貫通し、操作方向に移動可能な大きさを有する貫通孔を形成し、この貫通孔の内周面に前記補助操作部材の鍔が摺動可能に嵌合される溝を設け、この溝に前記補助操作部材の鍔を挿入し、さらに前記両分割ケースの接合部の前記貫通孔部分以外の部分に相互に嵌合されるように一方の分割ケースに嵌合用条溝を、他方の分割ケースに嵌合用凸条を設け、この条溝と凸条とを相互に凹凸嵌合させて両分割ケースを接合することを特徴とする携帯用機器の防水構造。
【請求項２】
２つに分割構成された分割ケースを相互に接合して閉塞された１つの本体ケースを形成し、この本体ケース内に電子機器を収納するとともに、本体ケースの一部を切欠いて前記電子機器の一部の構成部品の交換のための開口を形成し、この開口を塞ぐカバーを本体ケースに着脱自在に装着して構成された携帯用機器において、前記本体ケースの開口の周囲に、この開口に被せられるカバーと本体ケースの合わせ目付近からケースの下方端へ連なる、合わせ目から浸入する水を集めて排水する溝を形成し、前記開口を塞ぐカバーが本体ケースの下方端でこの排水用溝を開放するようこのカバーに切欠きを設けたことを特徴とする携帯用機器の防水構造。
【発明の詳細な説明】
【技術分野】
【０００１】
この発明は、電子機器をケースに収めて構成された屋外で使用する携帯用機器に雨水等がかかったとき雨水等がケース内へ浸入するのを防止してケースに収納された電子機器を雨水等から保護するための防水構造に関する。
【背景技術】
【０００２】
携帯用機器は、一般に分割可能なケース内に所望の電子機器を収納して構成されるので、屋外で使用する場合は、分割接合部から雨水等がケース内に浸入するのを防止するための防水構造が必要となる。従来から使用されている一般的な防水構造は、特許文献１に示されるように構成されている。
【０００３】
すなわち、図１０は、この特許文献１に示された構成を示すもので、２分割構成された本体ケース１の下ケース１２の上ケース１１との接合面に、全周にわたってパッキン収容溝１２−６を設け、この溝１２−６にケースの接合面と相似形に形成された弾性材製のパッキン１４を挿入し、この上から上ケース１１を被せ、上、下ケースをねじ１５により締め付けて、パッキン１４を押しつけて、両ケースの接合部の隙間を封止するようにしている。そして、この上下のケース１１、１２を接合して密閉構成された本体ケース１内に所望の電子機器を収納して携帯用機器が構成される。
【０００４】
このように構成することにより、上、下ケースの接合面の隙間がパッキン１４により封止され、ケース内部への雨水等の侵入を防止し、内部の電子機器を雨水等から保護することができる
また、ケース１から信号用または電源用のケーブル等の円筒状部品３を引き出す必要がある場合には、図１１に示すように、円筒状部品３の外径に合う内径を有するＯリング３−１を取り付け、上、下ケース１１、１２の円筒状部品の貫通する部分にそれぞれＯリング３−１の外径に合う直径を有する半円の溝１１−２および１２−２を設け、その溝１１−２および１２−２にＯリング３−１を嵌挿するようにする。さらに、そのほかの下ケース１２の上ケース１１との接合面にはほぼ全周にわたって嵌合溝１２−６と、上ケースの接合面にこの嵌合溝１２−６と嵌め合わされる凸条１１−８を設け、嵌合溝１２−６内にシリコーン樹脂からなるシーリング材１５を充填した上で、この溝１２−６内に凸条１１−８に嵌入されるように下ケース１２の上に上ケース１１を被せ、ねじ１５で締め付けて接合する。これにより上ケース１１の凸条１１−８が下ケース１２の嵌合溝１２−６に内に充填されたシーリング材１６を押圧して接合面の隙間を封止する。
【０００５】
このような構成により、ケース１の接合面および円筒状部品の貫通部が封止され、雨水等のケース１内への浸入を防止することができる。
【特許文献１】特開平１０−３２４３６０号公報
【発明の開示】
【発明が解決しようとする課題】
【０００６】
前記した従来の防水構造は、いずれも分割ケースの接合面に専用のパッキンの嵌合やシーリング材の充填が必要となるため製造価格が高くなるという問題がある。そして、ケースの外側から操作する必要のある例えば、ケース内に収納された電子機器の電源スイッチのような人手で操作する必要のある操作部品を取付ける場合、特にスライド操作する操作部品のケース貫通部分における防水シールが極めて困難となる問題があった。
【０００７】
この発明は、このような問題点を解消するために、専用のパッキン等を使用することなく、また操作部品のケース貫通部分の簡易な構造で防水することの可能な製造価格の安価な携帯用機器の防水構造を提供することを課題とするものである。
【課題を解決するための手段】
【０００８】
前記の課題を解決するため、第１の発明は、２つに分割構成された分割ケースを相互に接合して閉鎖された１つの本体ケースを形成し、この本体ケース内に電子機器を収納して構成された携帯用機器において、前記電子機器に外部操作の必要な操作部品をこの操作部品の操作部が前記ケース内に収まるように取付けるとともにこの操作部品に分離可能に結合され、外周にここから突出した平板状の鍔を備えた補助操作部材を設け、前記本体ケースの分割接合部に両分割ケースにまたがって前記補助操作部材が貫通し、操作方向に移動可能な大きさを有する貫通孔を形成し、この貫通孔の内周面に前記補助操作部材の鍔が摺動可能に嵌合される溝を設け、この溝に前記補助操作部材の鍔を挿入し、さらに前記両分割ケースの接合部の前記貫通孔部分以外の部分に相互に嵌合されるように一方の分割ケースに嵌合用条溝を他方の分割ケースに嵌合用凸条を設け、この条溝と凸条とを相互に凹凸嵌合させて両分割ケースを接合することを特徴とする。
【０００９】
第２の発明は、２つに分割構成された分割ケースを相互に接合して閉塞された１つの本体ケースを形成し、この本体ケース内に電子機器を収納するとともに、本体ケースの一部を切欠いて前記電子機器の一部の構成部品の交換のための開口を形成し、この開口を塞ぐカバーを本体ケースに着脱自在に装着して構成された携帯用機器において、前記本体ケースの開口の周囲に、この開口に被せられるカバーと本体ケースの合わせ目付近からケースの下方端へ連なる、合わせ目から浸入する水を集めて排水する溝を形成し、前記開口を塞ぐカバーが本体ケースの下方端でこの排水用溝を開放するようこのカバーに切欠きを設けたことを特徴とする。
【発明の効果】
【００１０】
前記の第１の発明によれば、２分割構成された本体ケースの接合面が凹凸嵌合され、また電子機器の操作部品に連結された操作部材が本体ケースを貫通する部分において、操作部材に設けられた鍔をケースに形成された溝に摺動自在に嵌合させるようにしているため、本体ケースの分割面および操作部材の貫通部分から雨水等の浸入を防止でき、専用のパッキンの装着やシーリング材の充填が必要なくなり、製造価格を低減できる。
【００１１】
第２の発明によれば、本体ケースの構成部品の交換用開口を覆う着脱自在のカバーと本体ケースとの合わせ目の隙間から浸入した雨水が、開口の周囲に設けた排水用の溝に集められてケース外に排出されるので、雨水等がケース内に浸入するのを防止することできる。したがって、部品交換用開口部においてもパッキンやシーリング材を使用することなく防水を行うことができる。
【発明を実施するための最良の形態】
【００１２】
以下にこの発明の図に示す実施例について説明する。
【実施例】
【００１３】
第１図この発明の全体構成を示すもので、（Ａ）は正面図、（Ｂ）は左側面図、（Ｃ）は右側面図、（Ｄ）は上面図、（Ｅ）は底面図、（Ｆ）は背面図である。第２図はその分解斜視図である。
【００１４】
これらの図において、１は分割構成された箱形の上ケース１１と下ケース１２とを接合して構成された本体ケースである。このケース１の外周側壁からこれを貫通して突出する円筒形の部品として内部の電子機器を実装するプリント基板７から引き出されたアンテナ２、ケーブル３および丸型ＬＥＤ表示灯９を備える。さらにプリント基板７には、外部から操作する必要のあるスライドスイッチ５が取付けられ、そしてこれに分離可能に係合された補助操作部材６がケース１の外周側壁に貫通して所定の操作方向にスライド可能に装着されている。また、上ケース１１の下方に交換用の構成部品、例えば電池を収容する部分に電池の交換を行うための開口１１−１が設けられており、この開口１１−１を、着脱自在のスライド式カバー１３により閉塞するようにしている。
【００１５】
このように構成された本体ケース１には、多くの合わせ目があるので、この部分からケース内部に雨水等の水が浸入することを防止するためにこの発明にしたがって次のような防水対策が施されている。
【００１６】
まず、円筒形部品であるアンテナ２、ケーブル３、丸型ＬＥＤ表示灯９のケース１の側壁貫通部には、従来と同様に、詳細をそれぞれ図７ないし図９に示すように、アンテナ２、ケーブル３、丸型ＬＥＤ表示灯９に、それぞれの直径に相応した内径を有するゴム製のＯリング２−１、３−１、９−１を装着し、上ケース１１と下ケース１２の各Ｏリングの嵌合する箇所にそれぞれ各Ｏリングの外径に相応した直径を有する半円の溝１１−２、１１−３および１１−９を上ケース１１に、そして同半円の溝１２−２、１２−３および１２−９を下ケース１２に設け、各溝に円筒形部品に装着したＯリング２−１、３−１、９−１をそれぞれ嵌め込んで、貫通部分の隙間を封止する。
【００１７】
外部から操作を必要とするスライドスイッチ５への操作部からの水の浸入を防ぐため、詳細を図４および図５に示すように、スライドスイッチ５の操作つまみ５−１がケース１を貫通して外部へ直接突出しないようにケース１内のプリント基板７に取付けられる。このスライドスイッチ５と対向してケース１の貫通孔１１−６、１２−６にこれを貫通して補助操作部材６が装着されている。この補助操作部材６には、その先端側に操作つまみ６−１、外周に全周にわたって突出した平板状の鍔６−２が、そして基端側にスライドスイッチ５の操作つまみ５−１をスライド方向の両側から挟み込んでこれと分離可能に係合する係合突起６−３が形成されている。ケース１の補助操作部材６の貫通する部分の貫通孔はその幅がスライドスイッチの操作に必要な操作つまみ５−１のストローク分だけ補助操作部材６がスライド可能なように広げられており（図５参照）、その内周面に補助操作部材６の鍔６−２が嵌合される溝１１-６１（上ケース１１）、１２-６１（下ケース１２）が形成され、補助操作部材６は、これらの溝に鍔６−１を嵌合させることによりケース１（１１、１２）にスライド可能に支持される。
【００１８】
そのほかの上ケース１１と下ケース１２の接合面には、詳細を図６に示すように上ケー１１側に嵌合用の条溝１１−４が、そして下ケース１２側にこの溝に嵌合される嵌合用の凸条１２−４が設けられ、上ケース１１と下ケース１２とを接合する際にこの条溝１１−４と突条１２−４とを凹凸嵌合する。
【００１９】
さらに、上ケース１１に設けられた部品の交換を行うための開口１１−１をカバー１３で閉塞するようにしているが、このカバー１３とケース１１との合わせ目（図１（Ａ）参照）からの浸水対策のために、詳細を図３に示すように、上ケース１１の開口１１−１の外周に開口面より突出してこの開口１１−１を取り囲む周壁１１−１２を設け、開口１１−１にカバー１３を被せて閉塞した際に、その内側面がこの周壁１１−１２に接合されるようにする。また、開口１１−１の左右の両側の周壁１１−１２の外側に適当な間隔をおいてこれと並行して突出した条壁１１−１４を設け、周壁１１−１２と条壁１１−１４との間に上ケース１１の下端と上方に開口した排水用の溝１１−１３を形成する。さらに、開口１１−１の上側の周壁部分にその中間から左右両外側へ幅を拡大しながら延び、前記排水用溝１１−１３と連通される集水用の溝１１−１５設けられている。開口１１−１に被せられる開閉カバー１３の下端部の開口１１−１の左右両側に設けられた排水用溝１１−１３と対向する箇所に切欠き１３−１（図１、図２参照）を設け、排水用溝１１−１３がケースの外側へ開放されるようにしている。
【００２０】
このような上ケースと内部にアンテナ２、ケーブル３、スライドスイッチ５丸型ＬＥＤ表示灯９およびその他の所要電子機器の実装されたプリント基板７を収納した下ケース１２とを互いの周側壁端面に形成した条溝１１−４と凸条１２−４とを凹凸嵌合させて接合することにより、貫通取付け部材であるアンテナ２、ケーブル３丸型ＬＥＤ表示灯９および補助操作部材６をそれぞれ対応した貫通孔部で狹持する。この際、固定された貫通部品にはシール部材としてＯリングが装着されている。可動貫通部品の補助操作部材６は、その鍔６−２をケース１１、１２の周側壁の貫通孔１１−６、１２−６の内周面に設けられた溝１１−６１、１２−６１に嵌挿することによりケース１１、１２により挟持される。接合された上下ケース１１、１２をねじ１５により締付け結合することにより一体的な本体ケース１に仕上がる。
【００２１】
スライドスイッチ５を外部から操作するためケースの周側壁を貫通して取付けられる補助操作部材６は、周側壁に操作方向に移動可能な大きさの貫通孔１１−６、１２−６に挿通され、周囲に張り出した平板状の鍔６−２を貫通孔の内周面に設けた操作部材が移動可能な深さの溝１１−６１、１２−６１内に嵌挿されるため、上下のケース１１、１２により挟持された状態で、操作つまみ６−１を、図５に示す矢印で示すように上下方向に操作することにより、補助操作部材６の鍔６−２が溝１２−６１内で摺動し、補助操作部材６が上下方向に移動する。この移動が補助操作部材６の係合突起６−３に係合されたスライドスイッチ５の操作つまみ５−１に伝達され、スイッチ５の開閉が操作される。そして上ケース１１に設けられた部品交換用開口１１-１内に電池等の交換部品を納めて、スライド式の開閉カバー１３を被せてこれを閉塞することにより携帯可能な機器となる。
【００２２】
このように構成することにより、箱形の本体ケース１の周側壁の固定貫通部品の貫通する貫通部は、Ｏリングにより封止され、分割された上ケース１１と下ケースの合わせ面および可動貫通部品の貫通する貫通部は、条溝１１−４と凸条１２−４との嵌合および補助操作部材の鍔６−２と摺動溝１１-６１、１２-６１との嵌合による凹凸嵌合によって封止されることになる。このため、携帯時に本体ケース１に雨水等がかかっても部品貫通部および上下ケースの合わせ面から雨水がケース本体１内への浸入するのを防止することができ、特に上下ケースの合わせ面および可動貫通部品の貫通部に特別なパッキンやシーリング材を介装する必要がないので構成が簡単となる。
【００２３】
さらに、ケース１１に設けた部品交換用開口１１−１に開閉カバー１３を被せて閉塞する部分には、カバー１３とケース１１との合わせ目に隙間が生じるため、放置すればこの部分から雨水が浸入する。この発明おいては、前記したように開口１１−１の周囲にこれを囲んで周壁１１−２の左右両側に排水用溝１１−１３を設け、カバー１３を被せたときのカバー１３とケース１１との合わせ目に位置する周壁１１-１２の上辺部に中間位置から左右両側へ延び、この排水用溝１１−１３に連通する集水用溝１１-１５を設け、かつカバー１３の下端の排水用溝１１−１３と対向する箇所に切欠き１３−１を設けているため、カバー１３とケース１１の合わせ目の隙間から浸入した雨水等の水は、集水用溝１１-１５に集められて、排水用溝１１−１３へ流れ込む。排水用溝１１−１３の下端部は、カバー１３に設けられた切欠き１３−１によって開放されているので、排水用溝１１−１３に流れ込んだ水は下端のカバーの切欠き１３−１から外部へ排出され、開口１１−１からケース内部へ流れ込むことが防止される。
【００２４】
このように、部品交換用開口１１−１部においても、特別なシール部材を用いることなく雨水等の浸入の防止機能を持たせることができ、構造を簡単にできる効果が得られる。
【図面の簡単な説明】
【００２５】
【図１】この発明の実施例を示す平面構成図であり、（Ａ）は正面図、（Ｂ）左側面図、（Ｃ）は右側面図、（Ｄ）は上面図、（Ｅ）は底面図、（Ｆ）は背面図である。
【図２】この発明の実施例を示す分解斜視図である。
【図３】この発明の実施例のカバーを取り外した状態を示す正面図である。
【図４】図１におけるＤ−Ｄ線の断面を拡大して示す縦断面図である。
【図５】図１におけるａ部を拡大して示す横断面図である。
【図６】図１におけるＥ−Ｅ線の断面を拡大して示す縦断面図である。
【図７】図１におけるＣ−Ｃ線の断面を拡大して示縦断面図である。
【図８】図１におけるＡ−Ａ線の断面を拡大して示す縦断面図である。
【図９】図１におけるＢ−Ｂ線の断面を拡大して示す縦断面図である。
【図１０】従来例の構成をしめすもので、（Ａ）は分解斜視図、（ｂ）は部分的な拡大断面図である。
【図１１】他の従来例の構成を示すもので、（Ａ）は平面図、（Ｂ）は（Ａ）におけるＧ−Ｇ線の断面を示す縦断面図である。
【符号の説明】
【００２６】
１：本体ケース
１１：上ケース
１１−１：部品交換用開口
１１−１２：周壁
１１−１３：排水用溝
１１−１５：集水用溝
１１−４：嵌合用条溝
１２：下ケース
１２−４：嵌合用凸条
１３：開閉カバー
２：アンテナ
３：ケーブル
５：スライドスイッチ
５−１：スライドスイッチ操作つまみ
６：補助操作部材
６−１：操作つまみ
６−２：鍔
６−３；係合突起
【図１】
2007207793.tif 000003
【図２】
2007207793.tif 000004
【図３】
2007207793.tif 000005
【図４】
2007207793.tif 000006
【図５】
2007207793.tif 000007
【図６】
2007207793.tif 000008
【図７】
2007207793.tif 000009
【図８】
2007207793.tif 000010
【図９】
2007207793.tif 000011
【図１０】
2007207793.tif 000012
【図１１】
2007207793.tif 000013